(57)【要約】【課題】導光板が収納されるフレームの内部で導光板が動くことに起因する不具合の発生を抑制することが可能なバックライトユニットを提供する。【解決手段】このバックライトユニット２は、点状光源２１からの光が入射される導光板２２と、導光板２２から出射された光が入射される導光板２３と、導光板２２および２３が内部に収納されるバックライトフレーム２５とを備えている。そして、少なくとも導光板２３は、バックライトフレーム２５に対して固定されている。【選択図】図２
2008077858.tif 000002
【特許請求の範囲】
【請求項１】
光源からの光が入射される第１導光板と、
前記第１導光板から出射された光が入射される第２導光板と、
前記第１導光板および前記第２導光板が内部に収納されるフレームとを備え、
少なくとも前記第２導光板は、前記フレームに対して固定されていることを特徴とする
バックライトユニット。
【請求項２】
前記第２導光板は、前記フレームに対してねじ止めされていることを特徴とする請求項
１に記載のバックライトユニット。
【請求項３】
前記フレームには、ねじが挿入される孔部が形成されているとともに、前記第２導光板
には、前記ねじが螺合するねじ孔部が形成されており、
前記第２導光板は、前記フレームの孔部に挿入された前記ねじが前記第２導光板のねじ
孔部に螺合することによって、前記フレームに対してねじ止めされることを特徴とする請
求項２に記載のバックライトユニット。
【請求項４】
前記フレームに形成される孔部は、長孔部を含むことを特徴とする請求項３に記載のバ
ックライトユニット。
【請求項５】
前記孔部は、前記第１導光板および前記第２導光板が収納される収納領域を取り囲む前
記フレームの側部に形成されているとともに、前記ねじ孔部は、前記フレームの側部と対
向する前記第２導光板の側面に形成されており、
前記第２導光板は、前記フレームの側部側からねじ止めされていることを特徴とする請
求項３または４に記載のバックライトユニット。
【請求項６】
前記第２導光板の側面に形成されたねじ孔部は、前記第２導光板に螺合方向の回転力が
付勢された場合に、前記第２導光板の所定の端部が浮き上がらないように、前記第２導光
板の所定の端部の近傍に配置されていることを特徴とする請求項５に記載のバックライト
ユニット。
【請求項７】
前記孔部は、前記第１導光板および前記第２導光板が載置される前記フレームの底部に
形成されているとともに、前記ねじ孔部は、前記フレームの底部と対向する前記第２導光
板の後面に形成されており、
前記第２導光板は、前記フレームの底部側からねじ止めされていることを特徴とする請
求項３または４に記載のバックライトユニット。
【請求項８】
前記第１導光板は、少なくとも光出射面を有しており、
前記第２導光板は、前記第１導光板の光出射面と対向するとともに、前記第１導光板の
光出射面から出射された光が入射される光入射面を少なくとも有し、
前記第２導光板の後面に形成されたねじ孔部は、前記第２導光板に螺合方向の回転力が
付勢された場合に、前記第２導光板の光入射面が前記第１導光板の光出射面に近づく方向
に回動するように、前記第２導光板の光入射面側の端部の近傍で、かつ、前記第２導光板
の光入射面に対して垂直な２つの側面のうちの一方の側面側に配置されていることを特徴
とする請求項７に記載のバックライトユニット。
【請求項９】
前記第２導光板の側面には、外側に向かって突出するとともに、前記フレームに対して
ねじ止めされる凸部が形成されていることを特徴とする請求項１〜８のいずれかに記載の
バックライトユニット。
【請求項１０】
請求項１〜９のいずれかに記載のバックライトユニットを用いたことを特徴とする表示
装置。
【発明の詳細な説明】
【技術分野】
【０００１】
この発明は、バックライトユニットおよびそれを用いた表示装置に関し、特に、導光板
を含むバックライトユニットおよびそれを用いた表示装置に関する。
【背景技術】
【０００２】
従来、液晶の光学的性質の変化を利用して表示を行う液晶表示装置などの表示装置が知
られている。従来の表示装置としての液晶表示装置では、液晶表示パネルの後面側から液
晶表示パネルに対して光が照射されることにより、文字や画像などが表示されるように構
成されている。すなわち、上記した従来の液晶表示装置では、液晶表示パネルの後面側に
、光を生成するための光源（ＬＥＤ（発光ダイオード）や蛍光管など）を含むバックライ
トユニットが設けられている。
【０００３】
上記した従来の液晶表示装置に用いられるバックライトユニットは、一般的に、光源か
ら出射された光を液晶表示パネル側に導くための導光板を含んでいる（たとえば、特許文
献１参照）。図５は、上記特許文献１に開示された従来の液晶表示装置に用いられるバッ
クライトユニットの構造を示した平面図である。図５を参照して、従来の液晶表示装置に
用いられるバックライトユニットは、コの字状に形成されたモールドフレーム１０１の内
部に導光板１０２が収納された構造を有している。また、コの字状のモールドフレーム１
０１の開放端側には、リフレクタ１０３によって覆われた光源（棒状の蛍光管）１０４が
配置されている。なお、光源１０４から出射された光は、導光板１０２によって面状の光
に変換されて液晶表示パネル（図示せず）側に導かれる。
【０００４】
また、導光板１０２の側端面には、凸状のリブ部１０２ａが設けられているとともに、
モールドフレーム１０１の内側面には、導光板１０２の凸状のリブ部１０２ａが収納され
る凹状の収納部１０１ａが設けられている。そして、モールドフレーム１０１の内部に収
納された導光板１０２は、その凸状のリブ部１０２ａがモールドフレーム１０１の凹状の
収納部１０１ａに嵌め込まれることにより、モールドフレーム１０１に支持されている。
【０００５】
【特許文献１】特開２００１−２１８８２号公報
【発明の開示】
【発明が解決しようとする課題】
【０００６】
しかしながら、図５に示した従来の構造では、バックライトユニットを構成する部材の
公差や組立性などを考慮すると、モールドフレーム１０１のリブ部１０１ａと導光板１０
２の収納部１０２ａとの間に間隔Ｇ１００を設ける必要がある。このため、振動が激しい
環境下で液晶表示装置を使用する場合（たとえば、車両やバイブレータ機能を有する携帯
電話などに液晶表示装置を搭載する場合）には、間隔Ｇ１００を設けた分だけモールドフ
レーム１０１の内部で導光板１０２が動くので、導光板１０２とモールドフレーム１０１
とが擦れるという不都合が生じる。これにより、導光板１０２とモールドフレーム１０１
とが擦れることに起因して、導光板１０２が摩耗し、かつ、異音が発生するという問題点
がある。
【０００７】
なお、上記したような凸状のリブ部および凹状の収納部が設けられていない導光板およ
びフレームを用いる場合にも、バックライトユニットを構成する部材の公差や組立性など
を考慮して、フレームと導光板との間に間隔が設けられる。特に、金属からなるフレーム
を用いる場合には、導光板との線膨張係数の差を考慮して、フレームと導光板との間によ
り大きな間隔が設けられる。このため、図５に示した従来の構造と同様、フレームと導光
板との間に設けられた間隔により、フレームの内部で導光板が動くことになる。
【０００８】
この発明は、上記のような課題を解決するためになされたものであり、この発明の１つ
の目的は、導光板が収納されるフレームの内部で導光板が動くことに起因する不具合の発
生を抑制することが可能なバックライトユニットを提供することである。
【０００９】
この発明のもう１つの目的は、導光板が収納されるフレームの内部で導光板が動くこと
に起因する不具合の発生を抑制することが可能な表示装置を提供することである。
【課題を解決するための手段】
【００１０】
上記目的を達成するために、この発明の第１の局面によるバックライトユニットは、光
源からの光が入射される第１導光板と、第１導光板から出射された光が入射される第２導
光板と、第１導光板および第２導光板が内部に収納されるフレームとを備えている。そし
て、少なくとも第２導光板は、フレームに対して固定されている。
【００１１】
この第１の局面によるバックライトユニットでは、上記のように、第２導光板をフレー
ムに対して固定することによって、振動が激しい環境下でバックライトユニットを使用し
たとしても、フレームの内部で第２導光板が動くのを抑制することができるので、第１導
光板と第２導光板とが接触することに起因する第１導光板（第２導光板）の破損を抑制す
ることができる。さらに、第１の局面では、フレームの内部で第２導光板が動くのを抑制
することができるので、第２導光板とフレームとが擦れることに起因する第２導光板の摩
耗や異音の発生を抑制することもできる。このように、第１の局面では、導光板（第１導
光板および第２導光板）が収納されるフレームの内部で導光板（第２導光板）が動くこと
に起因する不具合の発生を抑制することができる。
【００１２】
上記第１の局面によるバックライトユニットにおいて、好ましくは、第２導光板は、フ
レームに対してねじ止めされている。このように構成すれば、第２導光板のフレームに対
する固定を確実に行うことができる。
【００１３】
上記第２導光板がフレームに対してねじ止めされる構成において、好ましくは、フレー
ムには、ねじが挿入される孔部が形成されているとともに、第２導光板には、ねじが螺合
するねじ孔部が形成されており、第２導光板は、フレームの孔部に挿入されたねじが第２
導光板のねじ孔部に螺合することによって、フレームに対してねじ止めされる。このよう
に構成すれば、第２導光板のフレームに対するねじ止めを容易に行うことができる。
【００１４】
この場合、好ましくは、フレームに形成される孔部は、長孔部を含む。このように構成
すれば、第２導光板をフレームに対してねじ止めする際に、フレームの長孔部の長さ分だ
け第２導光板の固定位置を調節することができるので、第１導光板の光出射面と第２導光
板の光入射面との間の間隔の調節を容易に行うことができる。これにより、第１導光板の
光出射面と第２導光板の光入射面との間の間隔をできるだけ小さくすることができる。
【００１５】
上記第２導光板がフレームに対してねじ止めされる構成において、好ましくは、孔部は
、第１導光板および第２導光板が収納される収納領域を取り囲むフレームの側部に形成さ
れているとともに、ねじ孔部は、フレームの側部と対向する第２導光板の側面に形成され
ており、第２導光板は、フレームの側部側からねじ止めされている。このように構成すれ
ば、ねじの螺入によって回転力が付勢される第２導光板の回転方向が、第２導光板の光入
射面が光源側に移動する方向にはならないので、第２導光板の光入射面と光源との距離を
所定値に保持した状態でねじ止めすることができる。
【００１６】
この場合、好ましくは、第２導光板の側面に形成されたねじ孔部は、第２導光板に螺合
方向の回転力が付勢された場合に、第２導光板の所定の端部が浮き上がらないように、第
２導光板の所定の端部の近傍に配置されている。このように構成すれば、第２導光板をフ
レームに対してねじ止めする際に、第２導光板に螺合方向の回転力が付勢されたとしても
、第２導光板の所定の端部が浮き上がるのを抑制することができる。これにより、第２導
光板の所定の端部が浮き上がることに起因する組立不良の発生を抑制することができる。
【００１７】
上記第２導光板がフレームに対してねじ止めされる構成において、好ましくは、孔部は
、第１導光板および第２導光板が載置されるフレームの底部に形成されているとともに、
ねじ孔部は、フレームの底部と対向する第２導光板の後面に形成されており、第２導光板
は、フレームの底部側からねじ止めされている。このように構成すれば、容易に、第２導
光板をフレームに対してねじ止めすることができる。
【００１８】
この場合、好ましくは、第１導光板は、少なくとも光出射面を有しており、第２導光板
は、第１導光板の光出射面と対向するとともに、第１導光板の光出射面から出射された光
が入射される光入射面を少なくとも有し、第２導光板の後面に形成されたねじ孔部は、第
２導光板に螺合方向の回転力が付勢された場合に、第２導光板の光入射面が第１導光板の
光出射面に近づく方向に回動するように、第２導光板の光入射面側の端部の近傍で、かつ
、第２導光板の光入射面に対して垂直な２つの側面のうちの一方の側面側に配置されてい
る。このように構成すれば、第２導光板をフレームに対してねじ止めすることにより、容
易に、第１導光板の光出射面と第２導光板の光入射面との間の間隔を小さくすることがで
きる。
【００１９】
上記第１の局面によるバックライトユニットにおいて、好ましくは、第２導光板の側面
には、外側に向かって突出するとともに、フレームに対してねじ止めされる凸部が形成さ
れている。このように構成すれば、ねじ孔部やねじによる導光の妨害を軽減することがで
きる。
【００２０】
この発明の第２の局面による表示装置は、請求項１〜９のいずれかに記載のバックライ
トユニットを用いた表示装置である。このように構成すれば、導光板（第１導光板および
第２導光板）が収納されるフレームの内部で導光板（第２導光板）が動くことに起因する
不具合の発生を抑制することが可能な表示装置を容易に得ることができる。
【発明の効果】
【００２１】
以上のように、本発明によれば、導光板（第１導光板および第２導光板）が収納される
フレームの内部で導光板（第２導光板）が動くことに起因する不具合の発生を抑制するこ
とが可能なバックライトユニットおよび表示装置を容易に得ることができる。
【発明を実施するための最良の形態】
【００２２】
（第１実施形態）
図１は、本発明の第１実施形態によるバックライトユニットを用いた液晶表示装置（表
示装置）の分解斜視図である。図２は、図１に示した第１実施形態によるバックライトユ
ニットを前面側から見た場合の平面図である（光学シートを取り外した状態）。まず、図
１および図２を参照して、第１実施形態によるバックライトユニットを用いた液晶表示装
置（表示装置）の構造について説明する。
【００２３】
第１実施形態の液晶表示装置は、図１に示すように、液晶表示パネル１と、その液晶表
示パネル１の後面側に配置されたバックライトユニット２とを備えている。また、液晶表
示パネル１の前面側には、液晶表示パネル１の表示領域１ａを露出させるための開口部３
ａが形成された金属ケース３が配置されている。
【００２４】
また、バックライトユニット２は、液晶表示パネル１に対して後面側から面状の光を照
射するように構成されている。このバックライトユニット２は、ＦＰＣ（フレキシブルプ
リント配線板）２１ａに実装された１つの点状光源２１と、２つの導光板２２および２３
と、光学シート２４とを含んでいる。なお、点状光源２１は、本発明の「光源」の一例で
ある。また、導光板２２および２３は、本発明の「第１導光板」および「第２導光板」の
一例である。
【００２５】
点状光源２１は、図２に示すように、ＬＥＤ（発光ダイオード）からなるとともに、後
述する導光板２２の光入射面２２ａと対向するように配置されている。また、点状光源２
１と導光板２２の光入射面２２ａとの間には、点状光源２１と導光板２２との接触を抑制
するための間隔が設けられている。なお、点状光源２１と導光板２２の光入射面２２ａと
の間の間隔は、点状光源２１と導光板２２の光入射面２２ａとができるだけ接近するよう
に設定されている。また、点状光源２１が実装されるＦＰＣ２１ａと導光板２２の光入射
面２２ａとの間には、導光板２２が点状光源２１側に向かって移動するのを抑制するため
のストッパ２４が設けられている。このストッパ２４を設けることによって、点状光源２
１と導光板２２とが接触することに起因する点状光源２１の破損を抑制することが可能と
なる。
【００２６】
また、導光板２２は、アクリル樹脂などの透明材料からなるとともに、点状光源２１か
らの光を線状の光に変換して出射する機能を有している。この導光板２２は、三角形状に
形成されているとともに、点状光源２１側の側面によって構成された光入射面２２ａと、
導光板２３側の側面によって構成された光出射面２２ｂとを有している。また、導光板２
２は、光入射面２２ａが点状光源２１と対向し、光出射面２２ｂが後述する導光板２３の
光入射面２３ａと対向するように配置されている。また、導光板２２の光出射面２２ｂと
導光板２３の光入射面２３ａとの間には、導光板２２と導光板２３との接触を抑制するた
めの間隔Ｇ１が設けられている。なお、導光板２２の光出射面２２ｂと導光板２３の光入
射面２３ａとの間の間隔Ｇ１は、導光板２２の光出射面２２ｂと導光板２３の光入射面２
３ａとができるだけ接近するように設定されている。
【００２７】
また、導光板２３は、アクリル樹脂などの透明材料からなるとともに、導光板２２から
の光を面状の光に変換して出射する機能を有している。この導光板２３は、導光板２２側
の側面（導光板２３の短辺側の２つの側面のうちの一方）によって構成された光入射面２
３ａと、前面側の表面によって構成された光出射面２３ｂとを有している。また、導光板
２３は、光入射面２３ａが導光板２２の光出射面２２ｂと対向し、光出射面２３ｂが液晶
表示パネル１（図１参照）の後面側の表面と対向するように配置されている。
【００２８】
また、図１に示すように、光学シート２４は、導光板２３からの光を拡散および集光す
る機能を有している。この光学シート２４は、複数のシート（拡散シートやレンズシート
など）からなるとともに、導光板２３の光出射面２３ｂ上に配置されている。なお、上記
した拡散シートやレンズシート以外のシートが光学シート２４に含まれていてもよい。
【００２９】
また、図１および図２に示すように、上記した点状光源２１、導光板２２、導光板２３
および光学シート２４は、バックライトフレーム２５の内部の収納領域２５ａに収納され
ている。このバックライトフレーム２５は、前面側フレーム２６と、後面側フレーム２７
とによって構成されている。なお、バックライトフレーム２５は、本発明の「フレーム」
の一例である。
【００３０】
前面側フレーム２６は、樹脂からなるとともに、収納領域２５ａを取り囲むように形成
された側部２６ａを有している。また、前面側フレーム２６には、前面側に向かって進行
する光を透過させるための開口部２６ｂが形成されている。後面側フレーム２７は、金属
板からなるとともに、その金属板を前面側に向かって垂直に折り曲げることによって形成
された側部２７ａを有している。この後面側フレーム２７の側部２７ａは、収納領域２５
ａを取り囲むように、かつ、前面側フレーム２６の側部２６ａの外側面に沿って配置され
ている。そして、点状光源２１が実装されたＦＰＣ２１ａは、後面側フレーム２７の所定
の側部２７ａの内側面に取り付けられている。なお、前面側フレーム２６の側部２６ａの
所定領域には、点状光源２１と前面側フレーム２６との接触を回避するための逃げ部２６
ｃが形成されている。また、導光板２２および２３は、後面側フレーム２７の底部２７ｂ
上に載置されている。
【００３１】
ここで、第１実施形態では、図１および図２に示すように、導光板２３は、バックライ
トフレーム２５に対してねじ止めされることによって固定されている。以下に、導光板２
３のバックライトフレーム２５に対するねじ止め方法を詳細に説明する。
【００３２】
この第１実施形態では、導光板２３の所定の側面（導光板２３の光入射面２３ａに対し
て垂直な２つの側面のうちの一方の側面）２３ｃに、ねじ２８が螺合するねじ孔部２３ｄ
が形成されている。また、導光板２３の所定の側面２３ｃと対向するバックライトフレー
ム２５の側部（後面側フレーム２７の側部２７ａ）には、ねじ２８が挿入される長孔部（
孔部）２７ｃが形成されている。そして、第１実施形態では、後面側フレーム２７の長孔
部２７ｃにねじ２８が挿入された状態で、そのねじ２８が導光板２３のねじ孔部２３ｄに
螺合することによって、導光板２３がバックライトフレーム２５（後面側フレーム２７）
に対してねじ止めされている。すなわち、第１実施形態では、導光板２３のバックライト
フレーム２５（後面側フレーム２７）に対するねじ止めは、後面側フレーム２７の側部２
７ａ側から行われている。
【００３３】
また、第１実施形態では、導光板２３の所定の側面２３ｃに形成されたねじ孔部２３ｄ
は、導光板２３の光入射面２３ａ側とは反対側の端部２３ｅの近傍に配置されている。こ
のため、ねじ２８の螺合方向が図１中のＡ方向である場合には、導光板２３のバックライ
トフレーム２５（後面側フレーム２７）に対するねじ止め工程の際に、導光板２３の移動
方向が、導光板２３の光入射面２３ａ側の端部２３ｆ側の半分以上の部分が後面側フレー
ム２７の底部２７ｂを押圧する方向となるように、導光板２３にＡ方向の回転力が付勢さ
れる。なお、導光板２３にＡ方向の回転力が付勢される際には、導光板２３の端部２３ｅ
の近傍が回転支点となるので、導光板２３の端部２３ｅの浮き上がりが抑制される。
【００３４】
また、第１実施形態では、導光板２３の所定の側面２３ｃに、導光板２３の端部２３ｅ
の近傍に配置されるとともに、外側に向かって突出する凸部２３ｇが一体的に形成されて
いる。そして、上記したねじ孔部２３ｄは、導光板２３の凸部２３ｇに形成されている。
なお、前面側フレーム２６の側部２６ａの所定領域には、導光板２３の凸部２３ｇを外側
に向けて突出させるための逃げ部２６ｄが形成されている。
【００３５】
第１実施形態では、上記のように、導光板２３をバックライトフレーム２５に対して固
定することによって、振動が激しい環境下でバックライトユニット２を使用したとしても
、バックライトフレーム２５の内部で導光板２３が動くのを抑制することができるので、
導光板２２と導光板２３とが接触することに起因する導光板２２（導光板２３）の破損を
抑制することができる。さらに、第１実施形態では、バックライトフレーム２５の内部で
導光板２３が動くのを抑制することができるので、導光板２３とバックライトフレーム２
５とが擦れることに起因する導光板２３の摩耗や異音の発生を抑制することもできる。こ
のように、第１実施形態では、バックライトフレーム２５の内部で導光板２３が動くこと
に起因する不具合の発生を抑制することができる。
【００３６】
また、第１実施形態では、上記のように、導光板２３をバックライトフレーム２５に対
してねじ止めすることによって、導光板２３のバックライトフレーム２５に対する固定を
確実に行うことができる。
【００３７】
また、第１実施形態では、上記のように、導光板２３の所定の側面２３ｃにねじ孔部２
３ｄを形成するとともに、バックライトフレーム２５の側部（後面側フレーム２７の側部
２７ａ）に長孔部２７ｃを形成することによって、凸部２３ｇの嵌合隙間によりねじ孔部
２３ｄと長孔部２７ｃとの中心がずれたとしても、導光板２３のバックライトフレーム２
５に対するねじ止めを容易に行うことができる。この場合、導光板２３をバックライトフ
レーム２５に対してねじ止めする際に、後面側フレーム２７の長孔部２７ｃの長さ分だけ
導光板２３の固定位置を調節することができるので、導光板２２の光出射面２２ｂと導光
板２３の光入射面２３ａとの間の間隔Ｇ１の調節を容易に行うことができる。これにより
、導光板２２の光出射面２２ｂと導光板２３の光入射面２３ａとの間の間隔Ｇ１をできる
だけ小さくすることができる。
【００３８】
また、第１実施形態では、上記のように、導光板２３の光入射面２３ａ側とは反対側の
端部２３ｅの近傍にねじ孔部２３ｄを配置することによって、導光板２３をバックライト
フレーム２５に対してねじ止めする際に、導光板２３に螺合方向（Ａ方向）の回転力が付
勢されたとしても、導光板２３の端部２３ｅが浮き上がるのを抑制することができる。こ
れにより、導光板２３の端部２３ｅが浮き上がることに起因する組立不良の発生を抑制す
ることができる。
【００３９】
（第２実施形態）
図３は、本発明の第２実施形態によるバックライトユニットを用いた液晶表示装置（表
示装置）の分解斜視図である。図４は、図３に示した第２実施形態によるバックライトユ
ニットを前面側から見た場合の平面図である（光学シートを取り外した状態）。次に、図
３および図４を参照して、第２実施形態によるバックライトユニットを用いた液晶表示装
置（表示装置）の構造について説明する。
【００４０】
第２実施形態の液晶表示装置は、図３に示すように、液晶表示パネル１と、その液晶表
示パネル１の後面側に配置されたバックライトユニット４０とを備えている。また、液晶
表示パネル１の前面側には、金属ケース３が配置されている。なお、第２実施形態の液晶
表示パネル１および金属ケース３は、上記第１実施形態の液晶表示パネル１および金属ケ
ース３と同様の構造を有している。
【００４１】
また、バックライトユニット４０は、液晶表示パネル１に対して後面側から面状の光を
照射するように構成されている。このバックライトユニット４０は、ＦＰＣ４１ａに実装
された１つの点状光源４１と、２つの導光板４２および４３と、光学シート４４とを含ん
でいる。なお、点状光源４１は、本発明の「光源」の一例である。また、導光板４２およ
び４３は、本発明の「第１導光板」および「第２導光板」の一例である。
【００４２】
点状光源４１は、図４に示すように、ＬＥＤからなるとともに、後述する導光板４２の
光入射面４２ａと対向するように配置されている。また、点状光源４１と導光板４２の光
入射面４２ａとの間には、点状光源４１と導光板４２との接触を抑制するための間隔が設
けられている。なお、点状光源４１と導光板４２の光入射面４２ａとの間の間隔は、点状
光源４１と導光板４２の光入射面４２ａとができるだけ接近するように設定されている。
また、点状光源４１が実装されるＦＰＣ４１ａと導光板４２の光入射面４２ａとの間には
、導光板４２が点状光源４１側に向かって移動するのを抑制するためのストッパ４４が設
けられている。このストッパ４４を設けることによって、点状光源４１と導光板４２とが
接触することに起因する点状光源４１の破損を抑制することが可能となる。
【００４３】
また、導光板４２は、アクリル樹脂などの透明材料からなるとともに、点状光源４１か
らの光を線状の光に変換して出射する機能を有している。この導光板４２は、三角形状に
形成されているとともに、点状光源４１側の側面によって構成された光入射面４２ａと、
導光板４３側の側面によって構成された光出射面４２ｂとを有している。また、導光板４
２は、光入射面４２ａが点状光源４１と対向し、光出射面４２ｂが後述する導光板４３の
光入射面４３ａと対向するように配置されている。また、導光板４２の光出射面４２ｂと
導光板４３の光入射面４３ａとの間には、導光板４２と導光板４３との接触を抑制するた
めの間隔Ｇ２が設けられている。なお、導光板４２の光出射面４２ｂと導光板４３の光入
射面４３ａとの間の間隔Ｇ２は、導光板４２の光出射面４２ｂと導光板４３の光入射面４
３ａとができるだけ接近するように設定されている。
【００４４】
また、導光板４３は、アクリル樹脂などの透明材料からなるとともに、導光板４２から
の光を面状の光に変換して出射する機能を有している。この導光板４３は、導光板４２側
の側面（導光板４３の短辺側の２つの側面のうちの一方）によって構成された光入射面４
３ａと、前面側の表面によって構成された光出射面４３ｂとを有している。また、導光板
４３は、光入射面４３ａが導光板４２の光出射面４２ｂと対向し、光出射面４３ｂが液晶
表示パネル１（図３参照）の後面側の表面と対向するように配置されている。
【００４５】
また、図３に示すように、光学シート４４は、上記第１実施形態の光学シート２４と同
様の構造を有しており、導光板４３の光出射面４３ｂ上に配置されている。
【００４６】
また、図３および図４に示すように、上記した点状光源４１、導光板４２、導光板４３
および光学シート４４は、バックライトフレーム４５の内部の収納領域４５ａに収納され
ている。このバックライトフレーム４５は、前面側フレーム４６と、後面側フレーム４７
とによって構成されている。なお、バックライトフレーム４５は、本発明の「フレーム」
の一例である。
【００４７】
前面側フレーム４６は、樹脂からなるとともに、収納領域４５ａを取り囲むように形成
された側部４６ａを有している。また、前面側フレーム４６には、前面側に向かって進行
する光を透過させるための開口部４６ｂが形成されている。後面側フレーム４７は、金属
板からなるとともに、その金属板を前面側に向かって垂直に折り曲げることによって形成
された側部４７ａを有している。この後面側フレーム４７の側部４７ａは、収納領域４５
ａを取り囲むように、かつ、前面側フレーム４６の側部４６ａの外側面に沿って配置され
ている。そして、点状光源４１が実装されたＦＰＣ４１ａは、後面側フレーム４７の所定
の側部４７ａの内側面に取り付けられている。なお、前面側フレーム４６の側部４６ａの
所定領域には、点状光源４１と前面側フレーム４６との接触を回避するための逃げ部４６
ｃが形成されている。また、導光板４２および４３は、後面側フレーム４７の底部４７ｂ
上に載置されている。
【００４８】
ここで、第２実施形態では、図３および図４に示すように、導光板４３は、バックライ
トフレーム４５に対してねじ止めされることによって固定されている。以下に、導光板４
３のバックライトフレーム４５に対するねじ止め方法を詳細に説明する。
【００４９】
この第２実施形態では、導光板４３の後面（導光板４３の光出射面４３ｂ側とは反対側
の面）４３ｃに、ねじ４８が螺合するねじ孔部４３ｄが形成されている。また、導光板４
３の後面４３ｃと対向するバックライトフレーム４５の底部（後面側フレーム４７の底部
４７ｂ）には、ねじ４８が挿入される長孔部（孔部）４７ｃが形成されている。そして、
第２実施形態では、後面側フレーム４７の長孔部４７ｃにねじ４８が挿入された状態で、
そのねじ４８が導光板４３のねじ孔部４３ｄに螺合することによって、導光板４３がバッ
クライトフレーム４５（後面側フレーム４７）に対してねじ止めされている。すなわち、
第２実施形態では、導光板４３のバックライトフレーム４５（後面側フレーム４７）に対
するねじ止めは、後面側フレーム４７の底部４７ｂ側から行われている。
【００５０】
また、第２実施形態では、導光板４３の後面４３ｃに形成されたねじ孔部４３ｄは、導
光板４３の光入射面４３ａ側の端部４３ｅの近傍で、かつ、導光板４３の所定の側面（導
光板４３の光入射面４３ａに対して垂直な２つの側面のうちの一方の側面）４３ｆ側に配
置されている。このため、ねじ４８の螺合方向が図３および図４中のＢ方向である場合に
は、導光板４３のバックライトフレーム４５（後面側フレーム４７）に対するねじ止め工
程の際に、導光板４３の光入射面４３ａの半分以上の部分が導光板４２の光出射面４２ｂ
に近づくように、導光板４３にＢ方向の回転力が付勢される。
【００５１】
また、第２実施形態では、導光板４３の所定の側面４３ｆに、導光板４３の端部４３ｅ
の近傍に配置されるとともに、外側に向かって突出する凸部４３ｇが一体的に形成されて
いる。そして、上記したねじ孔部４３ｄは、導光板４３の凸部４３ｇに形成されている。
なお、前面側フレーム４６の側部４６ａの所定領域には、導光板４３の凸部４３ｇを外側
に向けて突出させるための逃げ部４６ｄが形成されている。
【００５２】
第２実施形態では、上記のように、導光板４３をバックライトフレーム４５に対して固
定することによって、上記第１実施形態と同様、バックライトフレーム４５の内部で導光
板４３が動くことに起因する不具合の発生を抑制することができる。
【００５３】
また、第２実施形態では、上記のように、導光板４３の光入射面４３ａ側の端部４３ｅ
の近傍で、かつ、導光板４３の所定の側面４３ｆ側にねじ孔部４３ｄを配置することによ
って、導光板４３をバックライトフレーム４５に対してねじ止めする際に、導光板２３に
螺合方向（Ｂ方向）の回転力が付勢されると、導光板４３の光入射面４３ａが導光板４２
の光出射面４２ｂに近づく方向に回動するので、容易に、導光板４２の光出射面４２ｂと
導光板４３の光入射面４３ａとの間の間隔Ｇ２を小さくすることができる。
【００５４】
なお、第２実施形態のその他の効果は、上記第１実施形態と同様である。
【００５５】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００５６】
たとえば、上記第１および第２実施形態では、バックライトフレームの構成部材である
後面側フレームに対して導光板を固定するようにしたが、本発明はこれに限らず、バック
ライトフレームの構成部材である前面側フレームに対して導光板を固定するようにしても
よい。
【００５７】
また、上記第１および第２実施形態では、導光板をバックライトフレームに対してねじ
止めするようにしたが、本発明はこれに限らず、ねじ止め以外の方法を用いて、導光板を
バックライトフレームに対して固定するようにしてもよい。たとえば、特開２００２−８
１４２３号公報に開示される如く、ピンの挿入によってブッシュの先端が広がるクリップ
で導光板を固定してもよい。
【００５８】
また、上記第１および第２実施形態では、導光板のバックライトフレームに対するねじ
止めを１つのねじを用いて行ったが、本発明はこれに限らず、複数のねじを用いて、導光
板をバックライトフレームに対してねじ止めしてもよい。
【００５９】
また、上記第１実施形態では、図１および図２に示したように、螺合方向がＡ方向のね
じ２８を用いる場合について説明したが、本発明はこれに限らず、螺合方向がＡ方向とは
反対方向のねじを用いてもよい。この場合には、導光板２３のバックライトフレーム２５
に対するねじ止めは、導光板２３の光入射面２３ａ側の端部２３ｆの近傍で行うのが好ま
しい。
【００６０】
また、上記第２実施形態では、図３および図４に示したように、螺合方向がＢ方向のね
じ４８を用いる場合について説明したが、本発明はこれに限らず、螺合方向がＢ方向とは
反対方向のねじを用いてもよい。この場合には、導光板４３のバックライトフレーム４５
に対するねじ止めは、導光板４３の所定の側面４３ｆとは反対の側面側で行うのが好まし
い。
【図面の簡単な説明】
【００６１】
【図１】本発明の第１実施形態によるバックライトユニットを用いた液晶表示装置（表示装置）の分解斜視図である。
【図２】図１に示した第１実施形態によるバックライトユニットを前面側から見た場合の平面図である。
【図３】本発明の第２実施形態によるバックライトユニットを用いた液晶表示装置（表示装置）の分解斜視図である。
【図４】図３に示した第２実施形態によるバックライトユニットを前面側から見た場合の平面図である。
【図５】従来の液晶表示装置に用いられるバックライトユニットの構造を示した平面図である。
【符号の説明】
【００６２】
２、４０  バックライトユニット
２１、４１  点状光源（光源）
２２、４２  導光板（第１導光板）
２２ｂ、４２ｂ  光出射面
２３、４３  導光板（第２導光板）
２３ａ、４３ａ  光入射面
２３ｃ、４３ｆ  側面
２３ｄ、４３ｄ  ねじ孔部
２３ｅ、４３ｅ  端部
２３ｇ、４３ｇ  凸部
２５、４５  バックライトフレーム（フレーム）
２５ａ、４５ａ  収納領域
２７ａ、側部
２７ｃ、４７ｃ  長孔部（孔部）
２８、４８  ねじ
４３ｅ  後面
４７ｂ  底部
【図１】
2008077858.tif 000003
【図２】
2008077858.tif 000004
【図３】
2008077858.tif 000005
【図４】
2008077858.tif 000006
【図５】
2008077858.tif 000007